(57)【要約】【課題】電子回路部品を搭載したプリント基板をシャーシに位置決めして固定する際に、位置決め部を固定個所と別の個所に設けることによる形状の複雑さを解消するとともに、位置決め部において共振ノイズが発生することを防止する。【解決手段】シャーシ３６の取付け片４６にバーリング加工によって筒状突部４８を形成するとともに、この筒状突部４８の内周面に雌ねじ５０を形成し、プリント基板３８の所定の位置に形成されているビス挿通孔５１を上記筒状突部４８の外周面によって位置決めしながらビス挿通孔５１を挿通するビス５２によって筒状突部４８の雌ねじ５０に螺着する。【選択図】  図８
2004297016.tif 000002
【特許請求の範囲】
【請求項１】
被取付け部材を所定の位置に位置決めして固定する位置決め固定装置において、
被取付け部材に締結部材を挿通させる挿通孔を形成するとともに、
前記被取付け部材を取付ける取付け側の固定する位置に筒状突部を形成し、
前記筒状突部の外周面を前記挿通孔と嵌合させて前記被取付け部材を位置決めするとともに、前記締結部材を前記筒状突部を貫通させて締結し、前記被取付け部材を取付け側に固定することを特徴とする位置決め固定装置。
【請求項２】
前記締結部材がボルトまたはビスであるとともに、前記筒状突部の内周面に雌ねじが形成され、前記ボルトまたはビスが前記雌ねじによって前記筒状突部に螺着されることを特徴とする請求項１に記載の位置決め固定装置。
【請求項３】
前記取付け側の前記筒状突部がプレス成形によって被取付け部材側に突出するように形成されることを特徴とする請求項１に記載の位置決め固定装置。
【請求項４】
基板をシャーシ上の所定の位置に位置決めして固定する位置決め固定装置において、
前記基板に締結部材を挿通させる挿通孔を形成するとともに、
前記基板を取付ける前記シャーシ側の固定する位置に筒状突部を形成し、
前記筒状突部の外周面を前記挿通孔と嵌合させて前記基板を位置決めするとともに、前記締結部材を前記筒状突部を貫通させて締結し、前記基板を前記シャーシに固定することを特徴とする位置決め固定装置。
【請求項５】
前記筒状突部の内周面に雌ねじが形成され、前記基板の挿通孔を挿通するビスを前記筒状突部の雌ねじに螺着して前記基板を位置決め固定することを特徴とする請求項４に記載の位置決め固定装置。
【請求項６】
前記ボルトまたはビスを前記筒状突部の内周部にねじ込むことによって前記筒状突部の内周面に雌ねじが形成されるとともに、前記ボルトまたはビスを前記雌ねじに螺着することによって前記基板を位置決め固定することを特徴とする請求項５に記載の位置決め固定装置。
【請求項７】
前記筒状突部がシャーシの取付け片にプレス成形によって基板側に突出するように形成されるとともに、前記筒状突部の長さが前記基板の厚さより短いことを特徴とする請求項４に記載の位置決め固定装置。
【請求項８】
前記基板を固定する複数個所の固定位置の内の少なくとも２個所の固定位置に前記筒状突部が設けられ、該筒状突部の外周面によって前記基板の位置決めが行なわれることを特徴とする請求項４に記載の位置決め固定装置。
【請求項９】
スピーカを内蔵するキャビネット内に前記シャーシを介して前記基板が配されることを特徴とする請求項４に記載の位置決め固定装置。
【請求項１０】
前記基板がオーディオ機器の電源回路基板または信号処理回路基板であることを特徴とする請求項４に記載の位置決め固定装置。
【発明の詳細な説明】
【０００１】
【発明の属する技術分野】
本発明は位置決め固定装置に係り、とくに基板等の取付け部材をシャーシ等の所定の位置に位置決めして固定する位置決め固定装置に関する。
【０００２】
【従来の技術】
スピーカを内蔵するキャビネット内にさらにシャーシを介してオーディオ信号の処理回路や電源回路を設ける場合には、これらの回路が設けられている基板を何等かの方法によって位置決め固定する必要がある。そこで従来は例えば図１１〜図１３に示すようにして位置決め固定が行なわれていた。
【０００３】
すなわちシャーシ６０にはその両側の側板部の上端に取付け片６１、６２がそれぞれ一体に折曲げて連設されるとともに、これらの取付け片６１、６２に雌ねじ孔６３が形成されていた。これに対してプリント基板６４にはビス６５を挿通させるビス挿通孔６６が予め形成されている。
【０００４】
そこでプリント基板６４のほぼ４つのコーナの部分を上記取付け片６１、６２によって支持するとともに、ビス６５を上記ビス挿通孔６６を挿通させて取付け片６１、６２の雌ねじ孔６３に螺着するようにしていた。ここでとくにシャーシ６０側にはドーム状突部６７が形成され、このドーム状突部６７の頂部に形成された位置決め用ボス６８をプリント基板６４のほぼ中央部に形成された位置決め孔６９に挿入している。さらに一対の取付け片６２にはその先端側にさらに上方に折曲げて折返し片７０を形成し、この折返し片７０をプリント基板６４のビス挿通孔６６の近傍に形成された係止孔７１に挿入して係止するようにしていた。
【０００５】
【発明が解決しようとする課題】
従来のこのようなプリント基板６４のシャーシ６０に対する取付け構造は、雌ねじ孔６３をを形成する部分を裏打出しによってバーリング穴の形状で形成し、その内周面に雌ねじ６３を形成していた。そしてプリント基板６４のシャーシ６０に対する位置決めを取付け片６２の折返し片７０と位置決め用ボス６８とによって達成するようにしていた。
【０００６】
このような構造によれば、プリント基板６４の固定と位置決めとが互いに別の個所に設けられるために形状が複雑になり、プリント基板６４の有効スペースが減少する原因になっていた。またこのようなプリント基板６４を位置決め固定したシャーシ６０をスピーカキャビネット内に配すると、とくに位置決め部においてプリント基板６４とシャーシ６０との間にガタつきを生じ、共振等によるノイズの発生の原因となっていた。とくに低音用スピーカを内蔵したキャビネット内にこのようなプリント基板６４の取付け構造を採用すると、共振ノイズが発生する問題があった。
【０００７】
本発明はこのような問題点に鑑みてなされたものであって、固定と位置決めとを同一個所に設けるとともに、基板等の被取付け部材がシャーシ等の取付け側との間で共振ノイズを発生しないようにした位置決め固定装置を提供することを目的とする。
【０００８】
【課題を解決するための手段】
本願の主要な発明は、
被取付け部材を所定の位置に位置決めして固定する位置決め固定装置において、
被取付け部材に締結部材を挿通させる挿通孔を形成するとともに、
前記被取付け部材を取付ける取付け側の固定する位置に筒状突部を形成し、
前記筒状突部の外周面を前記挿通孔と嵌合させて前記被取付け部材を位置決めするとともに、前記締結部材を前記筒状突部を貫通させて締結し、前記被取付け部材を取付け側に固定することを特徴とする位置決め固定装置に関するものである。
【０００９】
ここで前記締結部材がボルトまたはビスであるとともに、前記筒状突部の内周面に雌ねじが形成され、前記ボルトまたはビスが前記雌ねじによって前記筒状突部に螺着されることが好ましい。また前記取付け側の前記筒状突部がプレス成形によって被取付け部材側に突出するように形成されることが好ましい。
【００１０】
本願の別の主要な発明は、
基板をシャーシ上の所定の位置に位置決めして固定する位置決め固定装置において、
前記基板に締結部材を挿通させる挿通孔を形成するとともに、
前記基板を取付ける前記シャーシ側の固定する位置に筒状突部を形成し、
前記筒状突部の外周面を前記挿通孔と嵌合させて前記基板を位置決めするとともに、前記締結部材を前記筒状突部を貫通させて締結し、前記基板を前記シャーシに固定することを特徴とする位置決め固定装置に関するものである。
【００１１】
ここで前記筒状突部の内周面に雌ねじが形成され、前記基板の挿通孔を挿通するビスを前記筒状突部の雌ねじに螺着して前記基板を位置決め固定することが好ましい。また前記ボルトまたはビスを前記筒状突部の内周部にねじ込むことによって前記筒状突部の内周面に雌ねじが形成されるとともに、前記ボルトまたはビスを前記雌ねじに螺着することによって前記基板を位置決め固定することが好ましい。また前記筒状突部がシャーシの取付け片にプレス成形によって基板側に突出するように形成されるとともに、前記筒状突部の長さが前記基板の厚さより短いことが好ましい。また前記基板を固定する複数個所の固定位置の内の少なくとも２個所の固定位置に前記筒状突部が設けられ、該筒状突部の外周面によって前記基板の位置決めが行なわれることが好ましい。またスピーカを内蔵するキャビネット内に前記シャーシを介して前記基板が配されてよい。また前記基板がオーディオ機器の電源回路基板または信号処理回路基板であってよい。
【００１２】
【発明の実施の形態】
以下本願に含まれる発明を図示の実施の形態によって説明する。図１〜図５は本実施の形態のスピーカ装置の外観を示している。すなわちこのスピーカ装置は図２と図５との対比から明らかなように、その前面と上面とが一定の幅の細長い矩形の形状をなしている。これに対して背面と底面は台形状をなしている。そして底面を下側にして載置した場合と、背面を下側にして載置した場合とで、その形状が全く同じになるようになっており、高い意匠性を有するものである。
【００１３】
図１および図６に示すように、このキャビネット１０の内側にはその上側に仕切り板１１が設けられるとともに、仕切り板１１の前面側の開口が仕切り板１２によって閉塞され、仕切り板１１の後側の開口が後側の仕切り板１３によって閉塞されてスピーカボックス１５が形成されいる。なおこのキャビネット１０の底部は底板１４から構成されている。
【００１４】
上記仕切り板１１、１２、１３および底板１４によって上述のようにスピーカボックス１５が形成されている。そしてスピーカボックス１５の底部であって底板１４には、円形の開口１６が形成されるとともに、この円形の開口１６に底板１４の下側からウーファから成る低音用スピーカ１７が取付けられる。そして上記低音用スピーカ１７の下方には反射板１８が配されるようになっている。
【００１５】
キャビネット１０の下側であって底板１４の下側には図７および図８に示すように、その前方側に単一の支持脚２１が取付けられるとともに、後方側には一対の支持脚２２が設けられている。そして前方側の支持脚２１と後方側の支持脚２２との間には中間側の３つの支持脚２３が設けられている。そして中間側の３つの支持脚２３によって上記反射板１８が支持されるようになっている。
【００１６】
反射板１８は例えば透明なアクリル樹脂から構成されるとともに、上記支持脚２３によって支持される部位に切欠き２６が形成され、これらの切欠き２６が支持脚２３の保持部２７によって保持されるようになっている。とくに支持脚２３には図９に示すように、その内部に縦方向にプリント基板２８が取付けられるとともに、このプリント基板２８上にマウントされた発光ダイオード２９が上記反射板１８の切欠き２６と対向するようになっている。従ってこのような構成によれば、発光ダイオード２９からの光が切欠き２６を通してこの反射板２８内に導入される。また反射板１８の所定の位置には図８および図９に示すように粗面３０が形成されている。粗面３０は例えば梨地面から形成されている。なお粗面３０以外の部位は鏡面仕上げされて発光ダイオード２９からの光が全反射されるようになっている。
【００１７】
上記キャビネット１０のスピーカボックス１５の上側には図１および図４に示すようにシャーシ３６が保持されるようになっている。シャーシ３６は一対のプリント基板３７、３８を保持している。ここで一方のプリント基板３７は信号回路を形成し、他方のプリント基板３８は電源回路を構成している。そしてこれらのシャーシ３６がキャビネット１０内に設けられている取付け板４０に取付けられるようになっている。そしてキャビネット１０の背面側の部分は図４に示すリヤカバー３２によって端子板３３を覆うようにし、これによってこのキャビネット１０の背面側の開口を閉塞している。
【００１８】
次に上記シャーシ３６に対するプリント基板３７、３８の取付け構造について説明する。図７に示すように、シャーシ３６の両側の側壁部にはプリント基板３７の取付けのための折返し片４５、４６と、プリント基板３８の取付けのための折返し片４５、４６とが設けられている。
【００１９】
ここでプリント基板３８の位置決めを兼ねた固定の構造をとくに図８〜図１０によって説明する。プリント基板３８を位置決めして固定するために、シャーシ３６の両側の側壁の上端には一体に折曲げて取付け片４５、４６がそれぞれ連設されている。そして取付け片４５については雌ねじ孔４７が形成されている。これに対して取付け片４６には、筒状突部を構成する内抜きリブ４８が上方に突出して形成されており、この筒状突部４８によってプリント基板３８の位置決めを行なうようにしている。なお筒状突部４８の内周面には雌ねじ５０が形成されている。一方プリント基板３８の４つのコーナの近傍にはそれぞれビス挿通孔５１が形成され、これらのビス挿通孔５１を挿通されるビス５２を上記取付け片４５、４６の雌ねじ孔４７、５０にそれぞれ螺着するようにしている。
【００２０】
以上のような構成において、ウーファを構成する低音用スピーカ１７から図６に示すように下方に向けて低音域の音声が放出される。この音声はその下側に配されている反射板１８によって反射されて側方に導かれる。すなわち低音用スピーカ１７の下側の床面で反射することなく、反射板１８によって音声が反射されるようになっている。
【００２１】
なおこの低音用のスピーカ１７から成るスピーカ装置は、いわゆるバスレフ型のスピーカ装置を構成している。すなわちスピーカボックス１５には底板１４を貫通するようにダクト４１が設けられ、このダクト４１によってスピーカ１７の振動板から後方に出た音波をダクト４１を通るときに位相を１８０度回転し、これによってこのスピーカ１７の前方側から出た音声と同相になるようにしている。
【００２２】
このような反射板１８を用いることによって、低音用スピーカ１７からの音声が床面で反射されることがなくなる。従ってこのスピーカ装置の設置条件、とくに床面の構造やその性状によって影響されることがなくなる。例えば絨毯やカーペットを敷いた床面の上においても、スピーカ１７からの音声が絨毯やカーペットによって吸収されることがなくなり、音質の変化がなくなる。従って音響効果を損うことなく低音域の音声を確実に放出できるようになる。
【００２３】
またこの反射板１８はイルミネーション効果を発現するようになっている。すなわち支持脚２３内に取付けられた発光ダイオード２９が点灯するために、この発光ダイオード２９からの光が反射板１８の切欠き２６を通して図９Ａに示すように反射板１８内に導入される。ここで反射板１８は例えばアクリル樹脂のような透明材料から構成されており、外表面が鏡面仕上げされ、しかも上述の如くその所定の位置、例えば上面の外周側に近い部位および下面のほぼ中央にそれぞれ粗面３０が図９Ｂに示すように形成されている。従って発光ダイオード２９から出射された光が図９Ａに示すようにこの反射板１８の表面で全反射されるとともに、粗面３０の部分で光って外部に光を発生させる。なおそれ以外の光は反射板１８の切欠き２６とは反対側の位置であってその外周縁から出射される（図８参照）。
【００２４】
このようなスピーカキャビネット１０のスピーカボックス１５の上側に収納されるシャーシ３６には図７に示すようにして一対のプリント基板３７、３８が取付けられる。ここでプリント基板３７はその上に所定の回路部品がマウントされて信号処理回路が形成される。これに対してプリント基板３８はその上に部品がマウントされて電源回路を構成する。
【００２５】
このようなプリント基板３７、３８の位置決めは、図８〜図１０に示すようにして行なわれる。すなわちプリント基板３８は取付け片４５、４６にそれぞれ形成されている雌ねじ孔４７、５０に螺着されるビス５２によってシャーシ３６に固定される。ここでとくに注意すべきは、取付け片４６側の雌ねじ孔５０が筒状突部４８の内周面に形成されていることである。とくに図９および図１０に示すように、この筒状突部４８の外周面がプリント基板３８の対応するビス挿通孔５１の内周面と嵌合され、これによってプリント基板３８が取付け片４６を介してシャーシ３６に正しく位置決めされる。
【００２６】
筒状突部４８はその高さが図１０から明らかなように、プリント基板３８の厚さよりも短く構成されている。従って筒状突部４８の内周面の雌ねじ孔５０にビス５２を挿入して螺着すると、ビス５２によって取付け片４６にプリント基板３８が正しく固定される。従ってこのことから、とくに筒状突部４８を有する取付け片４６は、プリント基板３８の位置決めとプリント基板３８の固定とを兼用することになる。
【００２７】
なおシャーシ３６の取付け片４５、４６の雌ねじ孔４７および筒状突部４８の内周面の雌ねじは、この実施の形態においてはセルフタップ型のビス５２をねじ込んで螺着する際に同時に形成されるようになっている。しかるにこのような構成に代えて、取付け片４５、４６の雌ねじ孔４７および筒状突部４８の雌ねじについては、予めそれぞれ形成し、その後にビス５２をねじ込んで螺着するようにしてもよい。
【００２８】
このように本実施の形態のプリント基板３７、３８の位置決め固定構造は、プリント基板３８の取付け固定と位置決めとを同一個所、すなわち取付け片４６に設けることによって、位置決め部が強固にビス５２によって結合されることになる。従って位置決め部においてシャーシ３６とプリント基板３８との間で相対的な運動が完全に拘束されて共振が抑えられる。また他の位置に位置決めのための手段を設ける必要がなくなり、これによってプリント基板３７、３８の有効利用が可能になって実装面積が増大する。
【００２９】
なお上記実施の形態は取付け片４６にバーリング穴を打出して設けることによって筒状突部４８を形成しているが、このような打出しの際の筒状突部４８の外形寸法をプリント基板３８のビス挿通孔５１の口径とほぼ同じ値にすることによって、振動が発生し易い位置決め部をビス５２によってねじ締めすることが可能になって、振動の発生し易い位置決め部をなくしてプリント基板３８とシャーシ３６との間の共振ノイズを効果的に防止できるようになる。これによってこのスピーカ装置にプリント基板３７、３８を搭載したシャーシ３６が音質を劣化させることがなくなる。
【００３０】
以上本願に含まれる発明を図示の実施の形態によって説明したが、本願に含まれる発明は上記実施の形態によって限定されることなく、本願発明の技術的思想の範囲内で各種の変更が可能である。例えば上記実施の形態におけるプリント基板３７、３８のシャーシ３６に対する取付け位置や固定位置については任意に設計変更が可能である。また本願発明はプリント基板のみならずその他各種の被取付け部材の位置決め固定に広く適用可能である。
【００３１】
【発明の効果】
本願の主要な発明は、被取付け部材を所定の位置に位置決めして固定する位置決め固定装置において、被取付け部材に締結部材を挿通させる挿通孔を形成するとともに、被取付け部材を取付ける取付け側の固定する位置に筒状突部を形成し、筒状突部の外周面を挿通孔と嵌合させて被取付け部材を位置決めするとともに、締結部材を筒状突部を貫通させて締結し、被取付け部材を取付け側に固定するものである。
【００３２】
従ってこのような位置決め固定装置によれば、取付け側の筒状突部の外周面を利用して被取付け部材を位置決めしながらしかも上記筒状突部を貫通する締結部材によって被取付け部材を取付け側に固定することが可能になる。
【００３３】
本願の別の主要な発明は、基板をシャーシ上の所定の位置に位置決めして固定する位置決め固定装置において、基板に締結部材を挿通させる挿通孔を形成するとともに、基板を取付けるシャーシ側の固定する位置に筒状突部を形成し、筒状突部の外周面を挿通孔と嵌合させて基板を位置決めするとともに、締結部材を筒状突部を貫通させて締結し、基板をシャーシに固定するようにしたものである。
【００３４】
従ってこのような位置決め固定装置によれば、シャーシに形成された筒状突部の外周面を基板の挿通孔に嵌合させて基板をシャーシに位置決めするとともに、上記締結部材を筒状突部を貫通させて締結することにより、基板をシャーシに固定することが可能になり、筒状突部の部位において基板のシャーシに対する位置決めと固定とを同時に達成することが可能になる。
【図面の簡単な説明】
【図１】スピーカ装置の全体の構成を示す分解斜視図である。
【図２】同スピーカ装置の平面図である。
【図３】同スピーカ装置の側面図である。
【図４】スピーカ装置の背面側のリヤカバーを取付けない状態および取付けた状態の背面図である。
【図５】スピーカ装置の正面図である。
【図６】スピーカ装置の縦断面図である。
【図７】プリント基板のシャーシに対する取付けを示す分解斜視図である。
【図８】プリント基板のシャーシに対する位置決め固定の構造を示す要部分解斜視図である。
【図９】シャーシに対するプリント基板の取付けを示す要部縦断面図である。
【図１０】プリント基板の位置決めの機構を示す要部拡大断面図である。
【図１１】従来のプリント基板のシャーシに対する位置決め固定の構造を示す要部分解斜視図である。
【図１２】同プリント基板の位置決め固定の構造を示す縦断面図である。
【図１３】プリント基板のシャーシに対する位置決め固定を示す要部拡大断面図である。
【符号の説明】
１０‥‥キャビネット、１１‥‥仕切り板（上側）、１２‥‥仕切り板（前側）、１３‥‥仕切り板（後側）、１４‥‥底板、１５‥‥スピーカボックス、１６‥‥円形の開口、１７‥‥低音用スピーカ（ウーファ）、１８‥‥反射板、２１‥‥支持脚（前方側）、２２‥‥支持脚（後方側）、２３‥‥支持脚（中間側）、２６‥‥切欠き、２７‥‥保持部、２８‥‥プリント基板、２９‥‥発光ダイオード、３０‥‥粗面（梨地面）、３２‥‥リヤカバー、３３‥‥端子板、３６‥‥シャーシ、３７‥‥プリント基板（信号回路）、３８‥‥プリント基板（電源回路）、４０‥‥取付け板、４１‥‥ダクト、４５、４６‥‥取付け片、４７‥‥雌ねじ孔、４８‥‥打抜きリブ（筒状突部）、５０‥‥雌ねじ、５１‥‥ビス挿通孔、５２‥‥ビス、６０‥‥シャーシ、６１、６２‥‥取付け片、６３‥‥雌ねじ孔、６４‥‥プリント基板、６５‥‥ビス、６６‥‥ビス挿通孔、６７‥‥ドーム状突部、６８‥‥位置決め用ボス、６９‥‥位置決め孔、７０‥‥折返し片、７１‥‥係止孔
【図１】
2004297016.tif 000003
【図２】
2004297016.tif 000004
【図３】
2004297016.tif 000005
【図４】
2004297016.tif 000006
【図５】
2004297016.tif 000007
【図６】
2004297016.tif 000008
【図７】
2004297016.tif 000009
【図８】
2004297016.tif 000010
【図９】
2004297016.tif 000011
【図１０】
2004297016.tif 000012
【図１１】
2004297016.tif 000013
【図１２】
2004297016.tif 000014
【図１３】
2004297016.tif 000015